【手続補正書】
【提出日】平成25年10月7日(2013.10.7)
【手続補正１】
【補正対象書類名】特許請求の範囲
【補正対象項目名】全文
【補正方法】変更
【補正の内容】
【特許請求の範囲】
【請求項１】
a）少なくとも1つのハイドロトロピック（hydrotropic）界面活性剤；
b）少なくとも1つのアルキルベタインまたはスルタイン（sultaine）；
c）活性重量で0％〜約3％の電解質；
d）水；および
e）任意で1つまたは複数の他の界面活性剤または添加物
を含み、25℃で少なくとも約1,000 cpsの粘度を有する、粘性液体洗浄組成物。
【請求項２】
ハイドロトロピック界面活性剤が、αスルホン化脂肪酸、そのエステル、該酸もしくは該エステルの塩、またはそれらの組み合わせである、請求項1記載の洗浄組成物。
【請求項３】
ハイドロトロピック界面活性剤が、式1の構造を有する、αスルホン化脂肪酸、そのエステル、該酸もしくは該エステルの塩、またはそれらの組み合わせである、請求項1記載の洗浄組成物：
2013508511.tif 000001
式中、Rは、C6-C20ヒドロカルビル基であり、Zは、直鎖もしくは分岐鎖C1-C6ヒドロカルビル、またはXであり、Xは、H、Na、K、Ca、Mg、NH4、モノエタノールアンモニウム、ジエタノールアンモニウム、トリエタノールアンモニウム、またはそれらの混合物である。
【請求項４】
Rが、アルキル鎖長の分布である、請求項3記載の洗浄組成物。
【請求項５】
式2の構造を有するアルキルベタイン、または式3の構造を有するアルキルスルタイン、または該アルキルベタインおよび該アルキルスルタインの混合物を含む、請求項1記載の洗浄組成物：
2013508511.tif 000002
式中、R1は、C8-C22ヒドロカルビル基であり、R'は、C1-C5アルキル、ヒドロキシアルキル、アルコキシル化アルキル、またはそれらの組み合わせである。
【請求項６】
電解質が、1つまたは複数の以下の塩由来である、請求項1記載の洗浄組成物：
塩化ナトリウム、塩化カリウム、塩化マグネシウム、塩化カルシウム、塩化アンモニウム、硫酸ナトリウム、硫酸カリウム、硫酸マグネシウム、クエン酸ナトリウム、乳酸ナトリウム、グルタミン酸ナトリウム、およびそれらの混合物。
【請求項７】
アニオン性界面活性剤、非イオン性界面活性剤、両性界面活性剤、双性イオン性界面活性剤、半極性非イオン性界面活性剤、カチオン性界面活性剤、両性界面活性剤、およびそれらの混合物から成る群より選択される少なくとも1つの追加的な界面活性剤を含む、請求項1記載の洗浄組成物。
【請求項８】
1つまたは複数の、皮膚軟化剤、肌コンディショニング剤、真珠光沢剤、乳化剤、懸濁化剤、香料、着色料、ハーブ抽出物、ビタミン、ビルダー、キレート剤、アミノ酸、感覚改良剤、肌のしわの軽減、紫外線吸収剤、剥脱剤、酵素、pH調整剤、保存料、抗細菌剤、またはポリマーを含む、請求項1記載の洗浄組成物。
【請求項９】
a）活性重量で約1％〜約70％のαスルホン化脂肪酸、そのエステル、該酸もしくは該エステルの塩、またはそれらの組み合わせ；
b）活性重量で約1％〜約50％のアルキルベタインまたはスルタイン；
c）活性重量で0％〜約3％の有機または無機塩；および
d）活性重量で約0％〜約50％の1つまたは複数の追加的な界面活性剤；
e）活性重量で約0％〜約50％の1つまたは複数の添加物；および
f）組成物全体を100％に合わせる量で存在する水
を含む、粘性液体洗浄組成物。
【請求項１０】
ハイドロトロピック界面活性剤が、式1の化学構造を有する、αスルホン化脂肪酸、そのエステル、該酸もしくは該エステルの塩、またはそれらの組み合わせである、請求項9記載の洗浄組成物：
2013508511.tif 000003
式中、Rは、C6-C20ヒドロカルビル基であり、Zは、-CH3、エチル、またはXであり、Xは、H、Na、K、Ca、Mg、NH4、モノエタノールアンモニウム、ジエタノールアンモニウム、トリエタノールアンモニウム、またはそれらの混合物である。
【請求項１１】
式2の構造を有する少なくとも1つのアルキルベタイン、または式3の構造を有する少なくとも1つのアルキルスルタイン、または該アルキルベタインおよび該アルキルスルタインの混合物を含む、請求項9記載の洗浄組成物：
2013508511.tif 000004
式中、R1は、C8-C22ヒドロカルビル基であり、R'は、C1-C5アルキル、ヒドロキシアルキル、アルコキシル化アルキル、またはそれらの組み合わせである。
【請求項１２】
活性重量で約3％〜約30％のハイドロトロピック界面活性剤を含む、請求項9記載の洗浄組成物。
【請求項１３】
活性重量で約2％〜約20％のアルキルベタインまたはスルタインを含む、請求項9記載の洗浄組成物。
【請求項１４】
液体洗浄製品、液体ハンドソープ、バス用洗剤、シャワー用洗剤、シャンプー、洗顔剤、液体食器洗浄剤、または硬い表面の洗浄剤である、請求項9記載の洗浄組成物。
【請求項１５】
式2のアルキルベタインまたは式3のアルキルスルタインが、異なるアルキル鎖長を伴うベタインまたはスルタインの混合物である、請求項11記載の洗浄組成物。
【請求項１６】
アルキルベタインまたはスルタインが、異なるアルキルベタインまたはスルタインを混合することにより作製される、請求項15記載の洗浄組成物。
【請求項１７】
異なるアルキル鎖長を有するアルキルジメチルベタインのベタイン混合物を含む洗浄組成物であって、該ベタイン混合物が、異なるアルキル鎖長を有するアルキル三級アミンを含むアミン混合物をハロカルボン酸と組み合わせることにより作製される、請求項9記載の洗浄組成物。
【請求項１８】
シリンダー反転泡試験法において測定されたとき、200 mlまたはそれより多い泡体積を有する、請求項9記載の洗浄組成物。
【請求項１９】
1つまたは複数のアルキル三級アミンを他の剤と反応させてアルキルベタインまたはアルキルスルタインまたは両方を形成することにより、アルキルベタインまたはアルキルスルタインまたはそれらの混合物を調製する段階；ならびに
該アルキルベタインまたは該アルキルスルタインまたは該それらの混合物をハイドロトロピック界面活性剤、電解質、および水と組み合わせて、25℃で少なくとも約1,000 cpsの粘度を有する液体洗浄組成物を提供する段階
を含む、液体洗浄組成物を製造する方法。
【請求項２０】
1つまたは複数のアルキル三級アミンが、異なるアルキル鎖長を有する複数のアルキル三級アミンを含む、請求項19記載の方法。
【請求項２１】
式2または式3におけるR1が、C8-C22ヒドロカルビル基の組み合わせである、請求項5または11記載の洗浄組成物。
【手続補正２】
【補正対象書類名】明細書
【補正対象項目名】００１４
【補正方法】変更
【補正の内容】
【００１４】
本組成物および製剤は、好ましくは、1つまたは複数の以下の塩由来の電解質を含む：
塩化ナトリウム、塩化カリウム、塩化マグネシウム、塩化カルシウム、塩化アンモニウム、硫酸ナトリウム、硫酸カリウム、硫酸マグネシウム、クエン酸ナトリウム、乳酸ナトリウム、グルタミン酸ナトリウム、およびそれらの組み合わせ。
組成物および製剤はまた、アニオン性界面活性剤、非イオン性界面活性剤、両性界面活性剤、双性イオン性界面活性剤、半極性非イオン性界面活性剤、カチオン性界面活性剤、およびそれらの混合物から成る群より選択される少なくとも1つの他の界面活性剤を含み得る。本組成物および製剤に任意で含まれる添加物は、皮膚軟化剤、肌または髪のコンディショニング剤、真珠光沢剤、乳化剤、懸濁化剤、香料、着色料、ハーブ抽出物、ビタミン、ビルダー、酵素、pH調整剤、保存料、抗細菌剤、ポリマー、および当技術分野において一般的に公知である他の構成要素であり得る。
[本発明1001]
a）少なくとも1つのハイドロトロピック（hydrotropic）界面活性剤；
b）少なくとも1つのアルキルベタインまたはスルタイン（sultaine）；
c）活性重量で0％〜約3％の電解質；
d）水；および
e）任意で1つまたは複数の他の界面活性剤または添加物
を含み、25℃で少なくとも約1,000 cpsの粘度を有する、粘性液体洗浄組成物。
[本発明1002]
ハイドロトロピック界面活性剤が、αスルホン化脂肪酸、そのエステル、該酸もしくは該エステルの塩、またはそれらの組み合わせである、本発明1001の洗浄組成物。
[本発明1003]
ハイドロトロピック界面活性剤が、式1の構造を有する、αスルホン化脂肪酸、そのエステル、該酸もしくは該エステルの塩、またはそれらの組み合わせである、本発明1001の洗浄組成物：
2013508511.tif 000005
式中、Rは、C6-C20ヒドロカルビル基であり、Zは、直鎖もしくは分岐鎖C1-C6ヒドロカルビル、またはXであり、Xは、H、Na、K、Ca、Mg、NH4、モノエタノールアンモニウム、ジエタノールアンモニウム、トリエタノールアンモニウム、またはそれらの混合物である。
[本発明1004]
Rが、アルキル鎖長の分布である、本発明1003の洗浄組成物。
[本発明1005]
式2の構造を有するアルキルベタイン、または式3の構造を有するアルキルスルタイン、または該アルキルベタインおよび該アルキルスルタインの混合物を含む、本発明1001の洗浄組成物：
2013508511.tif 000006
式中、R1は、C8-C22ヒドロカルビル基であり、R'は、C1-C5アルキル、ヒドロキシアルキル、アルコキシル化アルキル、またはそれらの組み合わせである。
[本発明1006]
電解質が、1つまたは複数の以下の塩由来である、本発明1001の洗浄組成物：
塩化ナトリウム、塩化カリウム、塩化マグネシウム、塩化カルシウム、塩化アンモニウム、硫酸ナトリウム、硫酸カリウム、硫酸マグネシウム、クエン酸ナトリウム、乳酸ナトリウム、グルタミン酸ナトリウム、およびそれらの混合物。
[本発明1007]
アニオン性界面活性剤、非イオン性界面活性剤、両性界面活性剤、双性イオン性界面活性剤、半極性非イオン性界面活性剤、カチオン性界面活性剤、両性界面活性剤、およびそれらの混合物から成る群より選択される少なくとも1つの追加的な界面活性剤を含む、本発明1001の洗浄組成物。
[本発明1008]
1つまたは複数の、皮膚軟化剤、肌コンディショニング剤、真珠光沢剤、乳化剤、懸濁化剤、香料、着色料、ハーブ抽出物、ビタミン、ビルダー、キレート剤、アミノ酸、感覚改良剤、肌のしわの軽減、紫外線吸収剤、剥脱剤、酵素、pH調整剤、保存料、抗細菌剤、またはポリマーを含む、本発明1001の洗浄組成物。
[本発明1009]
a）活性重量で約1％〜約70％のαスルホン化脂肪酸、そのエステル、該酸もしくは該エステルの塩、またはそれらの組み合わせ；
b）活性重量で約1％〜約50％のアルキルベタインまたはスルタイン；
c）活性重量で0％〜約3％の有機または無機塩；および
d）活性重量で約0％〜約50％の1つまたは複数の追加的な界面活性剤；
e）活性重量で約0％〜約50％の1つまたは複数の添加物；および
f）組成物全体を100％に合わせる量で存在する水
を含む、粘性液体洗浄組成物。
[本発明1010]
ハイドロトロピック界面活性剤が、式1の化学構造を有する、αスルホン化脂肪酸、そのエステル、該酸もしくは該エステルの塩、またはそれらの組み合わせである、本発明1009の洗浄組成物：
2013508511.tif 000007
式中、Rは、C6-C20ヒドロカルビル基であり、Zは、-CH3、エチル、またはXであり、Xは、H、Na、K、Ca、Mg、NH4、モノエタノールアンモニウム、ジエタノールアンモニウム、トリエタノールアンモニウム、またはそれらの混合物である。
[本発明1011]
式2の構造を有する少なくとも1つのアルキルベタイン、または式3の構造を有する少なくとも1つのアルキルスルタイン、または該アルキルベタインおよび該アルキルスルタインの混合物を含む、本発明1009の洗浄組成物：
2013508511.tif 000008
式中、R1は、C8-C22ヒドロカルビル基であり、R'は、C1-C5アルキル、ヒドロキシアルキル、アルコキシル化アルキル、またはそれらの組み合わせである。
[本発明1012]
活性重量で約3％〜約30％のハイドロトロピック界面活性剤を含む、本発明1009の洗浄組成物。
[本発明1013]
活性重量で約2％〜約20％のアルキルベタインまたはスルタインを含む、本発明1009の洗浄組成物。
[本発明1014]
液体洗浄製品、液体ハンドソープ、バス用洗剤、シャワー用洗剤、シャンプー、洗顔剤、液体食器洗浄剤、または硬い表面の洗浄剤である、本発明1009の洗浄組成物。
[本発明1015]
式2のアルキルベタインまたは式3のアルキルスルタインが、異なるアルキル鎖長を伴うベタインまたはスルタインの混合物である、本発明1011の洗浄組成物。
[本発明1016]
アルキルベタインまたはスルタインが、異なるアルキルベタインまたはスルタインを混合することにより作製される、本発明1015の洗浄組成物。
[本発明1017]
異なるアルキル鎖長を有するアルキルジメチルベタインのベタイン混合物を含む洗浄組成物であって、該ベタイン混合物が、異なるアルキル鎖長を有するアルキル三級アミンを含むアミン混合物をハロカルボン酸と組み合わせることにより作製される、本発明1009の洗浄組成物。
[本発明1018]
シリンダー反転泡試験法において測定されたとき、200 mlまたはそれより多い泡体積を有する、本発明1009の洗浄組成物。
[本発明1019]
1つまたは複数のアルキル三級アミンを他の剤と反応させてアルキルベタインまたはアルキルスルタインまたは両方を形成することにより、アルキルベタインまたはアルキルスルタインまたはそれらの混合物を調製する段階；ならびに
該アルキルベタインまたは該アルキルスルタインまたは該それらの混合物をハイドロトロピック界面活性剤、電解質、および水と組み合わせて、25℃で少なくとも約1,000 cpsの粘度を有する液体洗浄組成物を提供する段階
を含む、液体洗浄組成物を製造する方法。
[本発明1020]
1つまたは複数のアルキル三級アミンが、異なるアルキル鎖長を有する複数のアルキル三級アミンを含む、本発明1019の方法。